(57)【要約】改善された牽引を有する外科用機器のための伸展性クッション挿入物（１００）が提供される。挿入物の締付け表面は、フック形状を有する、複数の、短く、密度濃く配置された牽引要素（１０２）を備える。牽引要素により供給される牽引力は、鋼の顎型クランプの牽引力にほぼ等しかった。一つの局面において、本発明は、組織と接触するために適合された外科用機器に取り付けるための挿入物を提供し、この挿入物は、組織係合接触表面を有する伸展性クッションを備え、そして、この表面の少なくともある領域において複数の有鉤牽引要素を有する。
2007505656.tif 000002
【特許請求の範囲】
【請求項１】
組織と接触するために適合された外科用機器に取り付けるための挿入物であって、該挿入物は、組織係合接触表面を有する伸展性クッションを備え、そして、該表面の少なくともある領域において複数の有鉤牽引要素を有する、挿入物。
【請求項２】
前記有鉤牽引要素が、成形されている、請求項１に記載の挿入物。
【請求項３】
前記有鉤牽引要素が、少なくとも１つの屈曲部を有するように構成されている、請求項１または請求項２のいずれかに記載の挿入物。
【請求項４】
前記有鉤牽引要素が、少なくとも２つの屈曲部を有するように構成されている、請求項１または請求項２のいずれかに記載の挿入物。
【請求項５】
前記有鉤牽引要素が、マッシュルーム様形状を有するように構成されている、請求項１または請求項２に記載の挿入物。
【請求項６】
前記有鉤牽引要素が、約１ｍｍ以下の高さである、請求項１〜５のいずれか１項に記載の挿入物。
【請求項７】
前記有鉤牽引要素が、約０．５ｍｍ以下の高さである、請求項１〜５のいずれか１項に記載の挿入物。
【請求項８】
前記有鉤牽引要素が、約０．４ｍｍ以下の高さである、請求項１〜５のいずれか１項に記載の挿入物。
【請求項９】
前記有鉤牽引要素が、約０．３ｍｍ以下の高さである、請求項１〜５のいずれか１項に記載の挿入物。
【請求項１０】
前記表面領域における前記有鉤牽引要素の密度が、少なくとも約１００／ｃｍ２である、請求項１〜９のいずれか１項に記載の挿入物。
【請求項１１】
前記表面領域における前記有鉤牽引要素の密度が、少なくとも約１３０／ｃｍ２である、請求項１〜９のいずれか１項に記載の挿入物。
【請求項１２】
前記表面領域における前記有鉤牽引要素の密度が、少なくとも約２６０／ｃｍ２である、請求項１〜９のいずれか１項に記載の挿入物。
【請求項１３】
前記表面領域における前記有鉤牽引要素の密度が、少なくとも約３００／ｃｍ２である、請求項１〜９のいずれか１項に記載の挿入物。
【請求項１４】
前記牽引要素が、２屈曲型牽引要素であり、約０．４ｍｍ以下の高さであり、かつ、少なくとも約１３０／ｃｍ２の上記表面領域の密度を有する、請求項２に記載の挿入物。
【請求項１５】
前記牽引要素が、１屈曲型牽引要素であり、約０．３ｍｍ以下の高さであり、かつ、少なくとも約２６０／ｃｍ２の上記表面領域の密度を有する、請求項２に記載の挿入物。
【請求項１６】
前記牽引要素が、マッシュルーム様牽引要素であり、約０．３ｍｍ以下の高さであり、かつ、少なくとも約３００／ｃｍ２の上記表面領域の密度を有する、請求項２に記載の挿入物。
【請求項１７】
請求項１〜１６のいずれか１項に記載の挿入物を備える、外科用機器。
【請求項１８】
前記機器が、脈管を把持または閉塞するために適合された顎型外科用機器である、請求項１７に記載の外科用機器。
【請求項１９】
前記機器が外科用クランプである、請求項１８に記載の外科用機器。
【請求項２０】
約４ポンドと約１０ポンドとの間の牽引力が、前記クランプにより締付けられる脈管に提供される、請求項１９に記載の外科用機器。
【請求項２１】
前記牽引力が、約６ポンドと約８ポンドとの間である、請求項２０に記載の外科用機器。
【請求項２２】
前記機器が外科用クリップである、請求項１８に記載の外科用機器。
【請求項２３】
約１．５ポンドと約２．５ポンドとの間の牽引力が、前記クリップにより締付けられる脈管に提供される、請求項２２に記載の外科用機器。
【請求項２４】
前記牽引力が、約１．５ポンドと約２ポンドとの間である、請求項２３に記載の外科用機器。
【請求項２５】
前記外科用機器が組織開創器である、請求項１７に記載の外科用機器。
【請求項２６】
前記外科用機器が組織安定器である、請求項１７に記載の外科用機器。
【発明の詳細な説明】
【技術分野】
【０００１】
（発明の分野）
本発明は、非外傷性の外科用機器に関し、これらとしては、外科用クランプおよび外科用クリップが挙げられるがこれらに限定されない。具体的には、この機器は、身体組織上に増加した牽引を提供する係合表面を備える。
【背景技術】
【０００２】
（発明の背景）
硬い顎表面（例えば、鋼製または他の硬プラスチック製もしくは複合材料製）を有する外科用機器が、組織もしくは器官を撤回および／または固定するため、移植片もしくはカテーテルを位置決めするため、および管状構造体（例えば、血管および管路、ならびに他の身体導管）を閉塞するために、多くの外科的手順において使用されている。血管および他の身体導管を閉塞するための機器（顎型閉塞機器が挙げられる）は、周知である。特に、閉塞のために一般に使用される外科用クランプは、代表的に、互いに向かって移動可能な旋回する顎部材を備え、この顎部材から延びるハンドル部材によって作動される。ハンドル部材は、代表的に、適所に係合されたクランプを保持するためのラチェット機構を備える。外科用クリップは、一般に、外科的手順の間に、より小さな血管および他の身体導管を閉塞するために使用される。一般的な型の外科用クリップは、互いに関してほぼ平行に配向され、かつ、開放位置から閉鎖位置に移動可能な、一対の顎を備える平行顎クリップである。多くのこのようなクリップは、閉鎖位置において、顎を一緒に付勢するための圧縮もしくは伸長ばねを備える。このようなクリップの代表例は、例えば、特許文献１〜４に記載されるものである。このようなクリップは、広い受入れを獲得し、配置および除去が容易であり、そして、信頼できる閉塞を提供し、そしてまた、縫合糸タグおよび識別マーカーのような他の用途に有用である。
【０００３】
多くの従来の外科用クランプおよびクリップは、ステンレス鋼、硬プラスチック、または他の同様に剛性の材料のような金属製である。このような外科用クランプおよびクリップは、多数の理由から好まれる。これらは、低いプロフィールを有するように製造され得、そして、撓み可能でなく、かつ変形可能でない把持表面と一緒になったクランプまたはクリップの全体的な構造的剛性が、良好な把持特性を有するクランプおよびクリップを提供する。このようなクランプおよびクリップの不利な点は、クランプの硬い表面および剛性が、閉塞の部位において締付けられる脈管に対して外傷を生じ得ることである。さらに、組織における機器の保持を改善するために、このような顎は、しばしば、様々に溝が付けられるか、または切り込みを入れられるように製造される。優れた把持能力を獲得する一方で、これらの型の顎表面は、把持される組織に対する外傷にある程度関連している。
【０００４】
結果として、外科用クランプおよびクリップの多数の非外傷性バージョンが、閉塞の間の脈管に対する外傷を減少するために開発されている。特に、このようなクランプおよびクリップは、クッション性のパッド、部材または挿入物を含む顎表面を備えるように適合されている。これらのパッド、部材または挿入物は、通常、容易に変形可能な材料から作製される。これらのパッド、部材または挿入物の増加した伸展性（ｃｏｍｐｌｉａｎｃｅ）に起因して、適用される牽引力は、しばしば、損なわれ、所望でないずれを生じ、そして、特に、クランプまたはクリップが、その顎の遠位端の近くに係合されるいくらかの場合においては、挿入物は、締付けられる脈管からずれやすい。また、このようなパッド、部材または挿入物の変形能に起因して、これらは、同様に、締付けられる脈管に沿って側方にずれやすくあり得、このことはさらに、顎がオフラインでねじれる切り抜き効果（ｓｃｉｓｓｏｒｉｎｇ  ｅｆｆｅｃｔ）を生じ得る。全てのこのような状況において、有効な把持が損なわれる。
【０００５】
代表的には、挿入物の締付け表面を改変することによって、非外傷性挿入物により付与される牽引力を改善するための方法が試みられている。例えば、ＦＩＢＲＡＴＭクランプ挿入物（Ａｐｐｌｉｅｄ  Ｍｅｄｉｃａｌ，Ｒａｎｃｈｏ  Ｓａｎｔａ  Ｍａｒｇａｒｉｔａ，ＣＡ）が、可撓性の、軟らかい、指のようなナイロン繊維の織った層で覆われ、脈管外膜の把持を補助する。同様の挿入物は、Ｆｏｇａｒｔｙに対する特許文献５に開示される。
【０００６】
Ｈｏｗｅｌｌらに対する特許文献６〜８は、別の型の非外傷性挿入物を記載する。これらの挿入物は、クランプの顎が互いに向かって移動するときに嵌合する、均一に隆起した突出部を有するように記載される。
【０００７】
特許文献９は、牽引を改善するために硬い毛を備える非外傷性締付け表面を開示する。この硬い毛は、ポリエチレン製またはナイロン製であり得、直立もしくは傾斜した方向で挿入物に提供され得る。この硬い毛が、組織（例えば、脈管）と接触すると、これらは、脈管に直ぐ近い領域でぺちゃんこになる。次いで、牽引が、硬い毛によって脈管の側面上に、提供され、これが、その側方の動きをブロックする。
【０００８】
特許文献１０は、メッシュ表面のオーバーレイで覆われた伸展性のクッションから構成される挿入物を開示する。
【０００９】
米国出願番号１０／３４９，８７１（２００３年１月２２日出願）は、クッション表面から延びる、一体型に形成された、隆起したパターンを有する挿入物を開示する。
【００１０】
非外傷性挿入物の牽引特性を改善するための多数の試みにも関わらず、改善された把持能を有する非外傷性挿入物（従来の鋼製の顎型機器により供給される把持および牽引に迫るか、または匹敵し得る非外傷性挿入物を含む）を備える顎型外科用機器に対する必要性が存在したままである。
【００１１】
同様に、例えば、患者の身体の内側への外科医の視野および機械的アクセスを提供するために、外科的切開部位において、撤回、把持、または他の方法で組織を操作する、従来の組織開創器および把持器は、周知である。これらの組織開創器および把持器は、切開部位において、全ての型の身体組織（例えば、骨、皮膚、脂肪、または筋肉）、または身体器官（例えば、肝臓、腸など）を把握、撤回、および保持および／または把持するために、代表的に、剛性の把持部材（ここでもまた、通常は、金属製、硬プラスチック製または他の剛性材料製）を採用する。このような剛性の把持部材は、保持または把持される組織に対して外傷を生じ得る。
【００１２】
外科的切開部位内での機械の固定、および組織または器官の安定化を提供する、他の外科用機器またはデバイスが、公知である。これらの機器またはデバイス（代表的に、安定器として公知）は、組織または器官に対して圧力を及ぼすことによって、組織または器官を適所に保持することによって、組織または器官を固定、安定化、または他の方法で拘束し、外科医がこの組織または器官に対して手術を行うのを補助する。このような安定器は、例えば、最小侵襲性の冠動脈外科手順における特定の用途を有する。例えば、環状動脈移植を行なうために、拍動する心臓を固定化するために使用されている。これらの安定器は、大部分が、移植された動脈のいずれかの側へと安定器によって適用される直接的な圧力からの、局所的な心筋の圧迫によって、固定化を達成する。これらの安定器は、例えば、開放足型デバイス、および剛性の円形または矩形形状を含む、種々の形状で提供され、そして、手で保持されるか、または、切開部位に位置する切開性開創器に取り付けられるかのいずれかであり得る。安定器デバイスの別のこのような例は、脈管のいずれかの側に位置決めされた吸引カップを有する２つの固定式ハンドルを有するシステムから構成される。
【００１３】
これらの安定器の使用の間に、心筋に伝達される圧力の量を考えると、これらの安定器デバイスの接触表面は、心筋組織に外傷を与える危険がある。さらに、固定化されたがなお拍動する心臓により及ぼされる力は、安定器の配置を変え得、移植手順を妨害し得る。
【００１４】
従って、組織または身体の器官を非外傷性に撤回、把持、操作および／または固定化し、同時になお、改善された牽引を提供する組織係合表面を有する、開創器、把持器、安定器などに対する必要性がまた存在したままである。
【特許文献１】米国特許第３，５０９，８８２号明細書
【特許文献２】米国特許第４，９３１，０５８号明細書
【特許文献３】米国特許第５，６５３，７２０号明細書
【特許文献４】米国特許第６，２６７，７７３号明細書
【特許文献５】米国特許第４，８２１，７１９号明細書
【特許文献６】米国特許第６，０９９，５３９号明細書
【特許文献７】米国特許第６，２０６，８９６号明細書
【特許文献８】米国特許第６，３８７，１０６号明細書
【特許文献９】国際公開第９８／３３４３７号パンフレット
【特許文献１０】国際公開第９９／１１１７９号パンフレット
【発明の開示】
【課題を解決するための手段】
【００１５】
（発明の簡単な要旨）
本発明は、これらおよび他の必要性を満たし、かつ、外科用機器（例えば、クランプ、クリップおよび鉗子、ならびに組織開創器、安定器、および組織もしくは器官を把持、保持、固定化、接触、または他の方法で係合するために使用される他の類似の外科用機器）の組織係合表面に不可逆的に設置され得るか、または取り外し可能に取り付けられ得る挿入物を提供する。
【００１６】
本発明は、組織係合接触表面、およびこの接触表面の少なくともある領域に提供される複数の有鉤牽引要素を有する伸展性クッションの挿入物が、接触した組織（把持された組織または閉塞された組織を含む）への外傷を最小限にしつつ、改善された牽引を提供するという発見に基づく。本発明のバリエーションにおいて、有鉤牽引要素が成形され得る。成形された有鉤牽引要素は、接触表面と一体型に形成され得るか、あるいは、材料のストリップまたはシート上に一体型に成形され得、この材料が、次いで、接触表面に種々の構成で接着され得る。有鉤牽引要素は、挿入物の全接触表面領域に提供され得るか、あるいは、接触表面領域の分散した領域に提供され得る。
【００１７】
本明細書中で使用される場合、用語「有鉤牽引要素」は、少なくとも１つの脚部、および当該分野で公知の任意の形状の、その脚部から延びる頭部もしくは側方の外延を有する牽引要素を指し、これらとしては、例えば、１屈曲部（ｃｒｏｏｋ）形状、２屈曲部形状、上部が平らなフック形状、またはマッシュルーム様フック形状が挙げられるがこれらに限定されない。この挿入物接触表面の分散した領域における牽引要素のパターンは、牽引要素のほぼ均一な、繰り返しパターンであり得るが、これに限定されない。
【００１８】
本発明の有鉤牽引要素は、例えば、ＤｅＭｅｓｔｒａｌに対する米国特許第２，７１７，４３７号および同第３，００９，２３５号に記載され、Ｖｅｌｃｒｏ  ＵＳＡ，Ｉｎｃより商標ＶＥＬＣＲＯの下で販売されている、ファスナーに見られる、従来の織った「Ｊ」形状フックよりも、全体的に短い。一般に、有鉤牽引要素は、約１ｍｍ（約０．０４インチ）以下の高さである。特定の例において、これらは、約０．５ｍｍ（約０．０２インチ）の高さ、または、約０．３ｍｍ（約０．０１インチ）の高さである。
【００１９】
牽引要素を含む挿入物の表面領域の単位面積あたりの有鉤牽引要素の密度は、一般に、比較的高い。このような密度は、大きさ、形状、および牽引要素の製造方法のような要因によりさらに変化し得る。例えば、牽引要素を含む挿入物の表面領域の単位面積あたりの牽引要素の密度は、少なくとも約１００牽引要素／ｃｍ２であり得る。特定の例において、この密度は、少なくとも約１３０牽引要素／ｃｍ２、または少なくとも約２６０牽引要素／ｃｍ２、または少なくとも約３００牽引要素／ｃｍ２であり得る。
【００２０】
この挿入物は、代表的に、外科用クランプおよびクリップの顎、または、安定器もしくは開創器のような他の機器の組織接触領域に取り付けられる。このような挿入物が、代表的な外科用クランプの顎に取り付けられ、配置される場合、約４ポンドと約１０ポンドとの間の牽引力が、クランプにより締付けられる脈管に提供される。このような挿入物が、代表的な平行顎ばねクリップに適合され、配置される場合、約１．５ポンドと約２．５ポンドとの間の牽引力が、クリップにより締付けられる脈管に提供される。本発明の挿入物は、クランプまたはクリップのいずれに取り付けられていても、現在市販されている非外傷性バージョンのものよりも大きな牽引を締付けられる脈管に提供し、そして、従来の鋼性の顎型クランプおよびクリップにおいて見られる牽引レベルに迫る牽引レベルを提供する。
【００２１】
本発明およびその利点は、以下の説明および添付の図面を見れば、なおより明らかとなる。
【発明を実施するための最良の形態】
【００２２】
（発明の詳細な説明）
本発明の挿入物は、機器によって操作される（例えば、把持される、締付けられる、撤回される、保持される、または固定化される）組織または器官への外傷を最小限にするために、種々の外科用機器に設置され得る。外科用機器の例としては、クランプ、クリップ、鉗子、把持器、開創器および安定器、ならびに、組織または身体器官を把持、保持、固定化、接触もしくは他の方法で係合するように一般に設計された他の機器が挙げられるが、これらに限定されない。これらの挿入物を備える機器は、組織または器官に対する把持力または抵抗力を増加させることなく、組織または器官に対する非外傷性牽引を提供する。
【００２３】
本発明に従って、挿入物において用いられる有鉤牽引要素は、いろいろな意味で、例えば、ブランド名ＶＥＬＣＲＯＴＭ（パート番号Ｈｏｏｋ  ＃６５およびＨｏｏｋ  ＃８８，Ｖｅｌｃｒｏ  ＵＳＡ，Ｉｎｃ．，Ｍａｎｃｈｅｓｔｅｒ，ＮＨ）およびＳＣＯＴＣＨＭＡＴＥＴＭ（パート番号ＳＪ−３４０１，Ｍｉｎｎｅｓｏｔａ  Ｍｉｎｉｎｇ  ａｎｄ  Ｍａｎｕｆａｃｔｕｒｉｎｇ  Ｃｏ．，Ｓｔ．Ｐａｕｌ，ＭＮ）の下で市販されている、従来の織ったカットループフックファスナーとは異なる。例えば、本発明の特定のバリエーションにおいて、有鉤牽引要素は、織られるのではなく、成形される。この牽引要素は、射出成形および圧縮成形のような、そして、Ｅｒｂに対する米国特許第３，５９４，８６５号および同第３，５９４，８６３号；Ｆｉｓｃｈｅｒに対する米国特許第４，７９４，０２８号；Ｋｅｎｎｅｄｙらに対する米国特許第５，２６０，０１５号および同第５，５１８，７９５号；ならびにＢｕｚｚｅｌｌらに対する米国特許第６，１８７，２４７号に具体的に記載されるような公知の技術によって製造され得る。また、本発明の有鉤牽引要素はまた、比較的小さい高さであり、そして、従来の織ったカットループフックファスナーと比較すると、挿入物の表面領域においてかなり高い密度で整列され得る。
【００２４】
有鉤牽引要素は、挿入物の組織接触表面から延びる少なくとも１つの脚部、および、この脚部から延びる、少なくとも１つの頭部または側方の外延を有するように形成される。上記のように、この有鉤牽引要素は、代表的に、フックとして構成され、この用語「フック」は、当該分野で公知の種々の形状を包含し、これらとしては、例えば、１屈曲部を有するフック、２屈曲部を有するフック、上部が平らなフック、マッシュルーム型形状のフックなどが挙げられるがこれらに限定されない。適切なフック形状は、Ｐｅａｒｓｏｎに対する米国特許第３，１９２，５８９号；Ｋａｙｓｅｒらに対する米国特許第３，４０８，７０５号；Ｋａｌｌｅｂｅｒｇに対する米国特許第４，２９０，１７４号；Ｐｒｏｖｏｓｔらに対する米国特許第４，９８４，３３９号および同第６，５２６，６３３号；Ｐｒｏｖｏｓｔに対する米国特許第５，３１５，７４０号；Ｋｅｎｎｅｄｙらに対する米国特許第５，３３９，４９９号；Ａｋｅｎｏに対する米国特許第５，６６４，３０１号；Ｍｉｌｌｅｒらに対する米国特許第５，６７９，３０２号；ならびにＭｉｌｌｅｒらに対する米国特許第５，８４５，３７５号に記載される。市販のファスナー材料は、牽引要素の供給源を提供し得る。Ｓｃｒｉｐｐｓに対する米国特許第４，８４６，８１５号および同第５，０１９，０６５号；Ｒｏｂｅｒｔｓｏｎらに対する米国特許第４，９６３，１４０号；ならびにＳｉｅｂｅｒｓらに対する米国特許第５，３１８，５５５号に記載されるような、使い捨て吸収性物品に見られるファスナー材料はまた、牽引要素の供給源を提供し得る。
【００２５】
牽引要素の寸法は、変化し得るが、通常は、各々の牽引要素の高さは、約１ｍｍ（約０．０４インチ）以下になるように選択される。特定のバリエーションにおいて、この高さは、約０．８ｍｍ（約０．０３インチ）以下、または約０．５ｍｍ（約０．０２インチ）以下、または約０．４ｍｍ（約０．０１５インチ）以下、または約０．３ｍｍ（約０．０１インチ）以下であり得る。比較として、ＦＩＢＲＡＴＭクランプ挿入物（Ａｐｐｌｉｅｄ  Ｍｅｄｉｃａｌ，Ｒａｎｃｈｏ  Ｓａｎｔａ  Ｍａｒｇａｒｉｔａ，ＣＡ）は、従来の織ったカットループフックファスナーによく似た、可撓性の、軟らかい、指のようなナイロン繊維の織った層で覆われる；フック形状の繊維は、約１．５ｍｍ（約０．０６０インチ）である。
【００２６】
牽引要素を含む挿入物の接触表面領域の単位面積あたりの牽引要素の密度はまた、要素の全体的な配置、特定の形状、配向、および要素の脚部または頭部の幅または直径、ならびに要素間の距離のような要因により変化し得る。一般に、牽引要素の寸法および密度はまた、使用される製造パラメータおよびプロセスによって変化し得る。しかし、単位平方センチメートルあたり少なくとも約１００要素の密度が望ましい。特定のバリエーションにおいて、単位平方センチメートルあたり、少なくとも約１３０要素、または少なくとも約１６０要素、または少なくとも約２００要素、または少なくとも約２３０要素、または少なくとも約２６０要素、または少なくとも約３００要素の密度が望ましい。ここでも比較として、ＦＩＢＲＡＴＭクランプ挿入物（Ａｐｐｌｉｅｄ  Ｍｅｄｉｃａｌ，Ｒａｎｃｈｏ  Ｓａｎｔａ  Ｍａｒｇａｒｉｔａ，ＣＡ）は、従来の織ったカットループフックファスナーによく似ており、そして、単位平方センチメートルあたり約６２フック形状の繊維の密度で配置された、可撓性の、軟らかい、指のようなナイロン繊維の織った層で覆われる。
【００２７】
図１Ａ〜１Ｃは、本発明の一局面による牽引要素を示す。図１Ａにおいて、牽引要素１００は、頭部１０２および脚部１０４を有する。各牽引要素１００の高さ（Ｈ）は、約０．４ｍｍである。図１Ｂによりはっきりと示すように、牽引要素１００は、２屈曲部１０６を有するように構成される。図１Ｃは、牽引要素１００が、各列が互いに関して縦方向および横方向に埋め合うように配置されることを示す。牽引要素は、約１３０要素／ｃｍ２の密度で配置される。
【００２８】
図２Ａ〜２Ｂは、本発明の別の局面による牽引要素を示す。図２Ａに示すように、牽引要素２００はまた、頭部２０２および脚部２０４部分を有する。しかし、２屈曲部の代わりに、牽引要素２００は、１屈曲部２０５を有するように構成される。図２Ｂおよび２Ｃにおいて、牽引要素２００の横列は、図１Ｂおよび１Ｃのものよりも近い間隔で示される。牽引要素は、約２６０要素／ｃｍ２の密度で配置される。
【００２９】
図３Ａ〜３Ｃは、本発明のなお別の局面による牽引要素を示す。この局面において、牽引要素３００は、ほぼ平坦であるが、わずかに窪んでいてもよい、ディスク形状の頭部３０２、および脚部３０３を有する。頭部３０２の形状は、図３Ｂによりはっきりと図示される。牽引要素３００の高さは、約０．３ｍｍ（約０．０１インチ）である。頭部３０２の直径は、約０．４ｍｍ（約０．０１５インチ）である。図３Ｂおよび３Ｃにおいて、牽引要素３００の横列は、均一に間隔を空けて示されている。牽引要素は、約３００要素／ｃｍ２の密度で配置される。
【００３０】
牽引要素は、ポリエチレン、ポリプロピレン、ナイロン、メラミン、ポリスチレン、ポリカーボネート、種々のフッ化ポリマー、エポキシ樹脂、酢酸セルロース、塩化ビニルポリマー、およびそれらのコポリマーまたはブレンド（例えば、Ｋａｙｓｅｒらに対する米国特許第３，４０８，７０５号；Ｅｒｂに対する米国特許第３，５９４，８６５号；Ｒｏｂｅｒｔｓｏｎらに対する米国特許第４，９６３，１４０号；および、Ｐｒｏｖｏｓｔらに対する米国特許第６，５２６，６３３号に記載されるもの）のような、種々の熱可塑性または熱硬化性ポリマーから作製され得る。
【００３１】
本発明による挿入物は、組織の外傷を最小限にするために、当該分野で公知の種々の伸展性材料から形成され得る。例えば、伸展性かつ弾性的に撓み可能な可撓性材料が適切である。このような可撓性材料としては、天然ゴム、ネオプレン、ウレタン、酢酸ビニルエチル発泡体、シリコーン、またはシリコーン発泡体が挙げられるがこれらに限定されない。材料は、スチレンベースの熱可塑性エラストマーまたは他の熱可塑性エラストマー、ならびに、特に、０−９５  Ｓｈｏｒｅ  Ａレンジで利用可能なもののような、射出成形のために適切な熱硬化性エラストマーであることが望ましい。挿入物は、機械用ボンド、接着剤、機器への直接射出成形によって、または他の公知の手段によって、外科用機器に取り付けまたは固定され得る。
【００３２】
外科用クランプの場合、このような挿入物は、外科用クランプへの固定のために、公知の取付け構造体（剛性取付け構造体を含む）に接合され得るか、もしくは接着され得るか、または、他の方法で、この取付け構造体にオーバーモールドされ得る（例えば、ＦＩＢＲＡＴＭ外科用クランプ挿入物，Ａｐｐｌｉｅｄ  Ｍｅｄｉｃａｌ，Ｒａｎｃｈｏ  Ｓａｎｔａ  Ｍａｒｇａｒｉｔａ，ＣＡ，モデル番号Ｇ−８６５５；ＥＮＧＡＧＥＴＭ挿入物，Ｎｏｖａｒｅ  Ｓｕｒｇｉｃａｌ，Ｃｕｐｅｒｔｉｎｏ，ＣＡ，モデル番号Ｎ−１０１０３を参照のこと）。あるいは、この挿入物は、米国特許第６，２２８，１０４号、同第６，２７３，９０２号、および同第６，３８７，１１２号（各々が、本願の譲受人により共有にかかり、その全体が、本明細書中に援用される）に記載される手段によって、外科用機器（例えば、クランプの顎）に固定され得る。簡単に述べると、このような手段は、締付けられる顎の長手軸に延びる、細長い空隙またはチャネル内に受容されるように構成された、可撓性の細長取付け部材を備える。このような取付け部材は、可撓性であるが、一般に、挿入物材料よりも堅く、たわむ可能性が顕著に少ない、プラスチックから形成され得る。適切な材料としては、ナイロンまたはポリプロピレンが挙げられる。このような設計は、得られる挿入物が、種々の顎の形状および配置（湾曲した顎を含む）に適応し得るという点で特に有利である。本発明に従い、このような取付け部材を有する挿入物が、図４〜８に図示される。外科用クリップの場合、このような挿入物は、クリップの顎に直接オーバーモールドされ得るか、または、そうでなければ、公知の方法によって、クリップの顎に取付けもしくは接合され得る。
【００３３】
いくつかの場合において、単一のエラストマーからオーバーモールドされた挿入物を形成することが望ましくあり得る。しかし、１つを超えるオーバーモールドが作製され得る。図９Ａ〜９Ｄに図示するように、約２Ａ〜約９５Ａのショアデュロメーター定格を有するエラストマーから作製された第２のオーバーモールド５０８が、約２０Ａ〜約９５Ａのショアデュロメーター定格を有するエラストマーから作製された、より剛性であるが、なお可撓性である第１のオーバーモールド５１０の上に成形される。この挿入物はまた、水準面、または１つ以上のウェルを有するように形成され得る。さらに、この挿入物は、外科用機器上に直接射出成形され得るか、または、そうでなければ、機械用ボンド、接着剤、もしくは他の公知の手段によって、外科用機器に固定され得る。例えば、図１０Ａおよび１０Ｂは、挿入物９０２が、安定器の安定化アーム９０６に固定された安定器９１０を図示する。示されるように、挿入物９０２は、図１Ａ〜１Ｃに図示したものと同じ牽引要素９００を備える。
【００３４】
牽引要素は、挿入物と一体型に成形され得るか、または、ポリマー材料のシートまたはストリップ上に提供される場合は、例えば、超音波溶接、熱接合、または多数の利用可能な接着剤（例えば、ウレタン、エポキシ、シアノアクリレート、および粘着剤）を用いる接合が含まれるが、これらに限定されない方法によって、挿入物上に配置され得る。シートまたはストリップ上に供給される場合、牽引要素は、通常、種々のストリップまたはパターンに切り出され、次いで、挿入物の上に配置される。挿入物が、凹部領域を備える場合、切り出しパターンは、このような領域内に位置し得る。さらに、牽引要素は、繰り返しまたは非繰り返し形状（例えば、矩形、円形、楕円形、菱形など）で、挿入物上で模様を付け得る。個々の形状を接続するために、より狭い幅の接続アームまたはとげ（ｓｐｉｎｅ）が備えられても備えられなくてもよい。これらの形状はまた、互いに接しているか、または、互いに間隔を空けるように、挿入物の上に配置され得る。
【００３５】
例えば、図４Ａに例示されるような１つの局面において、牽引要素４００を備える均一な幅の連続ストリップ４０２を切り出し、挿入物４０４の上に配置した。図４Ｂにさらに図示するように、ストリップ４０２は、挿入物４０４の中に形成した凹部領域４０６の中に位置し得る。
【００３６】
図５Ａおよび５Ｂは、牽引要素パターンの別のバリエーションを示す。このバリエーションにおいて、牽引要素のシートまたはストリップを切り出して、矩形５００を形成した。矩形５００は、より狭い幅のとげ５０２によって、互いに接続されている。これらのより狭い幅のとげは、挿入物の側方の可撓性を改善する。矩形５００およびとげ５０２は、牽引要素のシートまたはストリップから、一単位として切り出される。すなわち、これらは、挿入物に適用された別個の片ではない。
【００３７】
図６Ａ〜６Ｄは、挿入物６０２上に、円形パターンで配置された牽引要素６００を示す。各円６０４の直径は、約２ｍｍ〜約２．５ｍｍである。図６Ａ〜６Ｂにおいて、円６０４は、約３ｍｍ〜約４ｍｍ間隔が空いている。図６Ｃ〜６Ｄにおいて、円６０４は、約６ｍｍ〜約１０ｍｍ間隔が空いている。
【００３８】
図７Ａ〜７Ｂは、挿入物７０２上に、繰り返し楕円形パターンで配置された牽引要素７００を示す。楕円７０４は、約５ｍｍの長さおよび約２．５ｍｍの幅である。各楕円７０４は、約２ｍｍ〜約３ｍｍ間隔が空いている。
【００３９】
図８Ａ〜８Ｂは、挿入物８０２上に接触菱形パターンで配置された牽引要素８００を示す。菱形８０４は、約２．５ｍｍ〜約３ｍｍの長さ、約２．５ｍｍ〜約３ｍｍの幅である。
【００４０】
牽引要素はまた、挿入物の水準面に対して種々の位置で位置し得る。例えば、言及したように、シート、ストリップ、または他のパターン領域が、挿入物の平坦な接触表面、または、挿入物の表面レベルの下にある挿入物の、前以て形成した凹部領域のいずれかで、挿入物の接触表面に適用され得る。後者のシナリオの例は、図９Ａ〜９Ｄに図示される。線５−５（図５Ａ）に沿って取った挿入物の断面図は、挿入物５０６の表面レベルを超えて部分的に延びる牽引要素５０４を示す（図９Ａ）。牽引要素５０４はまた、表面レベル５０６からさらに延び得る（図９Ｂ）か、または、挿入物５０６の表面と平らに位置し得る（図９Ｃ）か、または、水準面５０６より下に位置し得る（図９Ｄ）。
【００４１】
本発明は、以下の実施例を参照してよりよく理解される。これらの実施例は、限定する目的ではなく、例示のみの目的で提供される。
【実施例】
【００４２】
（実施例１：外科用クランプ挿入物の牽引力）
本発明に従う顎挿入物を含む外科用クランプを、公知の外科用クランプおよび顎挿入物システムに対して試験し、それぞれの牽引能を測定した。外科用クランプクリップを、ブタの大動脈に適用し、この大動脈に、１００ｍｍＨｇと１５５ｍｍＨｇとの間の血圧まで圧力をかけた。手術領域における脈管の状態（代表的には、血管が、その外側表面で血液により覆われている）をシミュレートするために、この脈管を、室温にて全乳でコーティングして脈管を滑らかにした。以前の研究は、全乳で滑らかにしたブタの脈管は、実際の血液で滑らかにされたヒトの死体の物理的特性と密接に一致することを示している。従って、このシステムは、実際の外科的条件に非常に近い近似である。
【００４３】
試験した種々の挿入物は、その取付け機構が多様であり、それゆえ、適宜、種々の挿入物に適用した、種々のスタイルの外科用クランプを使用した。しかし、各場合において、脈管に適用される把持力は、５〜６ｌｂｆの間であった。より具体的には、適用される力を、顎の間隔を４ｍｍに維持したまま、大動脈を把持するための条件を非常に近く模倣する（平均的な大動脈壁の厚みは、約２ｍｍである）、フォースゲージおよび取付具を用いて測定した。それゆえ、同じ把持力を、挿入システム全体にわたって一貫して適用した。各それぞれの挿入物により付与される牽引力を測定するために、各クランプを、４インチ／分の一定速度で、合計４回、締付けられる脈管から半径方向に（すなわち、脈管の軸に対して垂直に）引離し、そして、プロセスの間にこのような半径方向の動きを達成するために、クランプに及ぼされる最大の牽引力を記録した。及ぼされる最大の力を、係合された脈管に、挿入物によって適用される牽引力の指標と考えた。
【００４４】
以下の外科用クランプおよび外科用クランプ挿入物システムを試験した：
（挿入物型１）
商品名ＦＩＢＲＡＴＭ外科用クランプ挿入物（Ａｐｐｌｉｅｄ  Ｍｅｄｉｃａｌ，Ｒａｎｃｈｏ  Ｓａｎｔａ  Ｍａｒｇａｒｉｔａ，ＣＡ，モデル番号Ｇ−８６５５）の下で市販されている、指のようなナイロン突出物の織った層を被せた発泡体の挿入物。これらの挿入物を、Ａｐｐｌｉｅｄ  Ｍｅｄｉｃａｌ  ８６ｍｍ−０°外科用クランプ（Ａｐｐｌｉｅｄ  Ｍｅｄｉｃａｌ，Ｒａｎｃｈｏ  Ｓａｎｔａ  Ｍａｒｇａｒｉｔａ，Ｃａ，モデル番号Ａ３３１２）に取り付けた。
【００４５】
（挿入物型２）
ＩＮＴＲＡＣＫＴＭクランプ（Ｎｏｖａｒｅ  Ｓｕｒｇｉｃａｌ，Ｃｕｐｅｒｔｉｎｏ，ＣＡ，モデル番号Ｎ−１０１３６）に固定した、商品名ＩＮＴＲＡＣＫＴＭ二重牽引挿入物（Ｎｏｖａｒｅ  Ｓｕｒｇｉｃａｌ，Ｃｕｐｅｒｔｉｎｏ，ＣＡ，モデル番号Ｎ−１０１４６）の下で市販されている、半剛性のプラスチック基材の上に成形した、伸展性のエラストマーパッドの挿入物。この挿入物は、繰り返し錐体形状の表面を有する。
【００４６】
（挿入物型３）
挿入物なしの、鋼製の顎型クランプ、ＡＥＳＣＵＬＡＰＴＭクランプ（Ａｅｓｃｕｌａｐ  ＡＧ，Ｃｅｎｔｅｒ  Ｖａｌｌｅｙ，ＰＡ，モデル番号ＦＢ５３２Ｒ−２００７）。
【００４７】
（挿入物型４）
本発明に従う、エラストマーから形成され、そして、成形された有鉤牽引要素を含む挿入物。この挿入物は、図４Ａ〜４Ｂの実施形態に図示されるように、この挿入物表面に固定した、成形された有鉤牽引要素（Ｖｅｌｃｒｏ  ８３０／８３３，Ｖｅｌｃｒｏ  ＵＳＡ  Ｉｎｃ．，Ｍａｎｃｈｅｓｔｅｒ，ＮＨ）の均一な幅の連続ストリップを備える。この成形された有鉤牽引要素は、図２Ａ〜２Ｃに示されるように、全般的な形状および配向を有し、そして、全般的に整列する。この挿入物を、ＩＮＴＲＡＣＫＴＭクランプ（Ｎｏｖａｒｅ  Ｓｕｒｇｉｃａｌ，Ｃｕｐｅｒｔｉｎｏ，ＣＡ，モデル番号Ｎ−１０１３６）に固定した。
【００４８】
（挿入物型５）
本発明に従う、エラストマーから形成され、そして、成形された有鉤牽引要素を含む挿入物。この挿入物は、図６Ａ〜６Ｂの実施形態に図示したように、挿入物表面に固定した、一連の円形パターンの成形された有鉤牽引要素（ｒｉｐｎｇｒｉｐ  ２００２  ＨＭ，ｒｉｐｎｇｒｉｐ  Ｉｎｄｕｓｔｒｉｅｓ  Ｉｎｃ．，Ｐａｌｍｄａｌｅ，ＣＡ）を備える。この成形された有鉤牽引要素は、図１Ａ〜１Ｃに示されるように、全般的な形状および配向を有し、そして、全般的に整列する。この挿入物を、ＩＮＴＲＡＣＫＴＭクランプ（Ｎｏｖａｒｅ  Ｓｕｒｇｉｃａｌ，Ｃｕｐｅｒｔｉｎｏ，ＣＡ，モデル番号Ｎ−１０１３６）に固定した。
【００４９】
（挿入物型６）
本発明に従う、エラストマーから形成され、そして、成形された有鉤牽引要素を含む、挿入物型５のものと類似する挿入物。この挿入物は、図６Ｃ〜６Ｄの実施形態に図示したように、挿入物表面に固定した、一連の円形パターンの成形された有鉤牽引要素（ｒｉｐｎｇｒｉｐ  ２００２  ＨＭ，ｒｉｐｎｇｒｉｐ  Ｉｎｄｕｓｔｒｉｅｓ  Ｉｎｃ．，Ｐａｌｍｄａｌｅ，ＣＡ）を備える（円形は、挿入物型５のものよりもさらに間隔が空いている）。この成形された有鉤牽引要素は、図１Ａ〜１Ｃに示されるように、全般的な形状および配向を有し、そして、全般的に整列する。この挿入物を、ＩＮＴＲＡＣＫＴＭクランプ（Ｎｏｖａｒｅ  Ｓｕｒｇｉｃａｌ，Ｃｕｐｅｒｔｉｎｏ，ＣＡ，モデル番号Ｎ−１０１３６）に固定した。
【００５０】
（挿入物型７）
本発明に従う、エラストマーから形成され、そして、成形された有鉤牽引要素を含む挿入物。この挿入物は、図７Ａ〜７Ｂの実施形態に図示されるように、この挿入物表面に固定した、一連の楕円形パターンの成形された有鉤牽引要素（Ｖｅｌｃｒｏ  ８３０／８３３，Ｖｅｌｃｒｏ  ＵＳＡ  Ｉｎｃ．，Ｍａｎｃｈｅｓｔｅｒ，ＮＨ）を備える。この成形された有鉤牽引要素は、図２Ａ〜２Ｃに示されるように、全般的な形状および配向を有し、そして、全般的に整列する。この挿入物を、ＩＮＴＲＡＣＫＴＭクランプ（Ｎｏｖａｒｅ  Ｓｕｒｇｉｃａｌ，Ｃｕｐｅｒｔｉｎｏ，ＣＡ，モデル番号Ｎ−１０１３６）に固定した。
【００５１】
（挿入物型８）
本発明に従う、エラストマーから形成され、そして、成形された有鉤牽引要素を含む挿入物。この挿入物は、図５Ａ〜５Ｂの実施形態に図示したように、挿入物表面に固定した、成形された有鉤牽引要素（ｒｉｐｎｇｒｉｐ  ２００２  ＨＭ，ｒｉｐｎｇｒｉｐ  Ｉｎｄｕｓｔｒｉｅｓ  Ｉｎｃ．，Ｐａｌｍｄａｌｅ，ＣＡ）の狭い幅、および、対応するより広い幅の代替的なセグメントを有する連続ストリップを備える。この成形された有鉤牽引要素は、図１Ａ〜１Ｃに示されるように、全般的な形状および配向を有し、そして、全般的に整列する。この挿入物を、ＩＮＴＲＡＣＫＴＭクランプ（Ｎｏｖａｒｅ  Ｓｕｒｇｉｃａｌ，Ｃｕｐｅｒｔｉｎｏ，ＣＡ，モデル番号Ｎ−１０１３６）に固定した。
【００５２】
（挿入物型９）
本発明に従う、エラストマーから形成され、そして、成形された有鉤牽引要素を含む挿入物。この挿入物は、図８Ａ〜８Ｂの実施形態に図示されるように、この挿入物表面に固定した、一連の菱形形状パターンの成形された有鉤牽引要素（Ｖｅｌｃｒｏ  ８３０／８３３，Ｖｅｌｃｒｏ  ＵＳＡ  Ｉｎｃ．，Ｍａｎｃｈｅｓｔｅｒ，ＮＨ）を備える。この成形された有鉤牽引要素は、図２Ａ〜２Ｃに示されるように、全般的な形状および配向を有し、そして、全般的に整列する。この挿入物を、ＩＮＴＲＡＣＫＴＭクランプ（Ｎｏｖａｒｅ  Ｓｕｒｇｉｃａｌ，Ｃｕｐｅｒｔｉｎｏ，ＣＡ，モデル番号Ｎ−１０１３６）に固定した。
【００５３】
（挿入物型１０）
本発明に従う、エラストマーから形成され、そして、成形された有鉤牽引要素を含む挿入物。この挿入物は、挿入物表面に固定した、連続ストリップの成形された有鉤牽引要素（ブランド名Ｕｌｔｒａ  ＣｏｍｆｏｒｔＴＭ，Ｋｒｏｇｅｒ  Ｃｏ．，Ｃｉｎｃｉｎｎａｔｉ，ＯＨの下で販売されている、使い捨て吸収性物品上のファスナー材料から入手される）を備える。この成形された有鉤牽引要素は、図３Ａ〜３Ｃに示されるように、全般的な形状および配向を有し、そして、全般的に整列する。この挿入物を、ＩＮＴＲＡＣＫＴＭクランプ（Ｎｏｖａｒｅ  Ｓｕｒｇｉｃａｌ，Ｃｕｐｅｒｔｉｎｏ，ＣＡ，モデル番号Ｎ−１０１３６）に固定した。
【００５４】
半径方向の引張り試験の結果を、以下の表Ｉ（各挿入物型についての、個々に記録した引離し力、および平均引離し力を含む）に示す。
【００５５】
【表１】
2007505656.tif 000003
クランプの引離し試験の結果は、本発明の実施形態に従う挿入物（すなわち、挿入物型４〜１０）が、公知の挿入物型１および２よりも多い牽引、具体的には、挿入物によって、２〜３倍多い牽引力を提供することを示す。さらに、これらの挿入物の多くは、従来の鋼製の顎型クランプにより供給される牽引力（平均７．７ｌｂｆ）を満たすか、またはこれを超えた牽引力を提供した。非外傷性挿入物が、従来の鋼製の顎クランプにおいて見られた牽引の程度を達成し得ることは、以前には予想外のことであった。
【００５６】
（実施例２：外科用クリップの牽引力）
本発明に従う、顎挿入物を含む外科用クリップを、公知の外科用クリップに対して試験し、実施例１において上記した方法に従って、それぞれの牽引能を測定した。試験した外科用クリップは、平行顎のばねクリップの種類であった。試験したクリップの各々により及ぼされる把持力は、０．８５〜１．００ｌｂｓ（全力）の範囲であった。ここでも、取付けたクリップを、一定の速度で脈管から引離し、そして、手順の間にクランプに及ぼされた最大の力を記録した。この及ぼされた最大の力を、係合された脈管に対して挿入物により適用される牽引力の指標と考える。
【００５７】
以下の外科用クリップおよびクリップ挿入物システムを試験した：
（挿入物型Ａ）
指のようなナイロン突出物の織った層（ＦＩＢＲＡＴＭ外科用クリップ，Ａｐｐｌｉｅｄ  Ｍｅｄｉｃａｌ，Ｒａｎｃｈｏ  Ｓａｎｔａ  Ｍａｒｇａｒｉｔａ，ＣＡ，モデル番号Ｇ−６０５０）を被せた発泡体の軟らかい顎挿入物。
【００５８】
（挿入物型Ｂ）
挿入物表面の幅を横切って延びる、一体型に形成された繰り返しリッジ（このリッジは、約０．００７インチの高さおよび０．０１０インチの幅であり、そして、米国出願番号第１０／３４９，８７１号（２００３年１月２２日出願）（その全体が本明細書中に援用される）にさらに記載される）を有する、エラストマーの軟らかい顎挿入物（Ｇｒｅｙｈｏｕｎｄ，Ｎｏｖａｒｅ  Ｓｕｒｇｉｃａｌ，Ｃｕｐｅｒｔｉｎｏ，ＣＡ，モデル番号Ｎ−１０１５７）。
【００５９】
（挿入物型Ｃ）
本発明に従う、エラストマーから形成され、そして、成形された有鉤牽引要素を含む挿入物。この挿入物は、この挿入物表面に固定した、成形された有鉤牽引要素（Ｖｅｌｃｒｏ  ８３０／８３３，Ｖｅｌｃｒｏ  ＵＳＡ  Ｉｎｃ．，Ｍａｎｃｈｅｓｔｅｒ，ＮＨ）の均一な幅の連続ストリップを備える。この成形された有鉤牽引要素は、図２Ａ〜２Ｃに示されるように、全般的な形状および配向を有し、そして、全般的に整列する。この挿入物を、従来の挿入物表面の代わりに、Ｇｒｅｙｈｏｕｎｄスタイルの外科用クリップ（Ｇｒｅｙｈｏｕｎｄ，Ｎｏｖａｒｅ  Ｓｕｒｇｉｃａｌ，Ｃｕｐｅｒｔｉｎｏ，ＣＡ，モデル番号Ｎ−１０１５７）に固定した。
【００６０】
（挿入物型Ｄ）
滑らかな表面、および挿入物の長さにわたる内部空隙を有する、天然のスポンジゴムの柔らかい顎挿入物（Ｆｏｇａｒｔｙ  ＳｏｆｔｊａｗＴＭ  Ｓｐｒｉｎｇ  Ｃｌｉｐ，Ｅｄｗａｒｄｓ  Ｌｉｆｅ  Ｓｃｉｅｎｃｅｓ，Ｉｒｖｉｎｅ，ＣＡ，モデル番号ＣＳＯＦＴ６）。
【００６１】
半径方向の引張り試験の結果を、以下の表ＩＩ（各挿入物型についての、個々に記録した引離し力、および平均引離し力を含む）に示す。
【００６２】
【表２】
2007505656.tif 000004
クリップの引離し試験の結果は、Ｃ型挿入物を有する外科用クリップが、Ａ型挿入物よりも９倍多い牽引を、Ｂ型挿入物よりも３倍多い牽引を、そして、Ｄ型挿入物よりも約４．５倍多い牽引を提供することを示す。
【００６３】
本明細書において引用される全ての刊行物、特許および特許出願は、あらゆる目的のために、あたかも各個々の出願、特許または特許出願が、具体的かつ個別に、参考として援用されると示されるかのような程度と同じ程度まで、その全体が参考として本明細書により援用される。上記の本発明は、例示、および理解を明確にするための例の目的で、いくらか詳細に記載されたが、特定の変化および改変が、添付の特許請求の範囲の精神および範囲から逸脱することなく、本発明に対してなされ得ることは、本発明の教示を考慮すれば、当業者に明らかである。
【図面の簡単な説明】
【００６４】
【図１】図１Ａ〜１Ｃは、２屈曲部の繰り返しパターンを有する本発明の１つのバリエーションに従う、成形された有鉤牽引要素を示す。図１Ａは、側面図である。図１Ｂは、斜視図である。そして、図１Ｃは、互いに関する牽引要素の配置もまた示す、上面図である。
【図２】図２Ａ〜２Ｃは、１屈曲部の繰り返しパターンを有する本発明の別のバリエーションに従う、成形された有鉤牽引要素を示す。図２Ａは、側面図である。図２Ｂは、斜視図である。そして、図２Ｃは、互いに関する牽引要素の配置もまた示す、上面図である。
【図３】図３Ａ〜３Ｃは、マッシュルーム型の頭部を有するフックの繰り返しパターンを有する、本発明のなお別のバリエーションに従う、成形された有鉤牽引要素を示す。図３Ａは、側面図である。図３Ｂは、斜視図である。図３Ｃは、互いに関する牽引要素の配置もまた示す、上面図である。
【図４】図４Ａは、挿入物上の組織接触表面に、均一の幅の連続ストリップとして固定した、図１Ａ〜１Ｃに従う牽引要素を有する、本発明の１つのバリエーションに従う挿入物の上面図である。図４Ｂは、図４Ａに示す挿入物の斜視図である。
【図５】図５Ａは、挿入物上の組織接触表面に、代替的なより広い幅およびより狭い幅の連続ストリップとして固定した、図１Ａ〜１Ｃに従う牽引要素を有する、本発明の別のバリエーションに従う挿入物の上面図である。図５Ｂは、図５Ａに示す挿入物の斜視図である。
【図６】図６Ａ〜６Ｄは、成形された有鉤牽引要素の領域が、挿入物の組織接触表面上に、異なるパターンで整列した、本発明の複数のバリエーションに従う挿入物を示す。図６Ａ〜６Ｂに図示するバリエーションにおいて、図１Ａ〜１Ｃの牽引要素は、間隔の近い円形の繰り返しパターンで整列している。図６Ａは、挿入物の上面図であり、図６Ｂは、挿入物の斜視図である。図６Ｃ〜６Ｄにおいて、図１Ａ〜１Ｃの牽引要素は、より広く間隔を空けた円形のパターンで整列している。図６Ｃは、挿入物の上面図であり、図６Ｄは、挿入物の斜視図である。
【図７】図７Ａ〜７Ｂは、成形された有鉤牽引要素の領域が、挿入物の組織接触表面上に、異なるパターンで整列した、本発明の複数のバリエーションに従う挿入物を示す。図７Ａ〜７Ｂにおいて、図１Ａ〜１Ｃの牽引要素は、楕円形の繰り返しパターンで整列している。図７Ａは、挿入物の上面図であり、図７Ｂは、挿入物の斜視図である。
【図８】図８Ａ〜８Ｂは、成形された有鉤牽引要素の領域が、挿入物の組織接触表面上に、異なるパターンで整列した、本発明の複数のバリエーションに従う挿入物を示す。図８Ａ〜８Ｂにおいて、図１Ａ〜１Ｃの牽引要素は、菱形の繰り返しパターンで整列している。図８Ａは、挿入物の上面図であり、図８Ｂは、挿入物の斜視図である。
【図９】図９Ａは、本発明の１つのバリエーションに従う、図５Ａに示される挿入物の線５−５に沿って取った断面図であり、この挿入物は、挿入物の表面レベルを超えて部分的に延びる成形された有鉤牽引要素を有する。図９Ｂは、図５Ａに示されるものと類似の挿入物の線５−５に沿って取った断面図であり、この挿入物は、挿入物の表面レベルを超えてさらに延びる成形された有鉤牽引要素を有する。図９Ｃは、図５Ａに示されるものと類似の挿入物の線５−５に沿って取った断面図であり、成形された有鉤牽引要素は、挿入物の表面と平らになるように適合されている。図９Ｄは、図５Ａに示されるものと類似の挿入物の線５−５に沿って取った断面図であり、成形された有鉤牽引要素は、挿入物の水準面の下に位置している。
【図１０】図１０Ａは、組織接触表面を有する外科用安定器の斜視図である。図１０Ｂは、図１Ａ〜１Ｃの成形された有鉤牽引要素を有する表面を示す、組織接触表面の一部の拡大図である。
【図１Ａ】
2007505656.tif 000005
【図１Ｂ】
2007505656.tif 000006
【図１Ｃ】
2007505656.tif 000007
【図２Ａ】
2007505656.tif 000008
【図２Ｂ】
2007505656.tif 000009
【図２Ｃ】
2007505656.tif 000010
【図３Ａ】
2007505656.tif 000011
【図３Ｂ】
2007505656.tif 000012
【図３Ｃ】
2007505656.tif 000013
【図４Ａ】
2007505656.tif 000014
【図４Ｂ】
2007505656.tif 000015
【図５Ａ】
2007505656.tif 000016
【図５Ｂ】
2007505656.tif 000017
【図６Ａ】
2007505656.tif 000018
【図６Ｂ】
2007505656.tif 000019
【図６Ｃ】
2007505656.tif 000020
【図６Ｄ】
2007505656.tif 000021
【図７Ａ】
2007505656.tif 000022
【図７Ｂ】
2007505656.tif 000023
【図８Ａ】
2007505656.tif 000024
【図８Ｂ】
2007505656.tif 000025
【図９Ａ】
2007505656.tif 000026
【図９Ｂ】
2007505656.tif 000027
【図９Ｃ】
2007505656.tif 000028
【図９Ｄ】
2007505656.tif 000029
【図１０Ａ】
2007505656.tif 000030
【図１０Ｂ】
2007505656.tif 000031
【国際調査報告】
2007505656.tif 000032
2007505656.tif 000033